(57)【要約】【課題】  自転車を駐車させるのに便利な駐車装置と自転車搭載機器とを提供しようとする。【解決手段】  従来の複数の自転車と複数の車両とを駐車空間に駐車させる駐車装置に変わって、複数の車両を各々に搭載して駐車空間に位置できる構造体である複数のパレットと、自転車を搭載でき前記パレットの上に重ねられる自転車搭載機器と、複数の前記パレットを支持して駐車空間と入出庫のため運転手から車両または自転車を預かる空間である入出庫空間との間で各々に搬送できる搬送機器と、を備え、前記搬送機器に支持される前記パレットの上に重ねられた前記自転車搭載機器を前記パレットから離すことができ、前記パレットから離れている前記自転車搭載機器を前記搬送機器に支持される前記パレットの上に重ねることができる、ものとした。【選択図】    図３
2017089121.tif 000002
【特許請求の範囲】
【請求項１】
複数の自転車と複数の車両とを駐車空間に駐車させる駐車装置であって、
複数の車両を各々に搭載して駐車空間に位置できる構造体である複数のパレットと、
自転車を搭載でき前記パレットの上に重ねられる自転車搭載機器と、
複数の前記パレットを支持して駐車空間と入出庫のため運転手から車両または自転車を預かる空間である入出庫空間との間で各々に搬送できる搬送機器と、
を備え、
前記搬送機器に支持される前記パレットの上に重ねられた前記自転車搭載機器を前記パレットから離すことができ、前記パレットから離れている前記自転車搭載機器を前記搬送機器に支持される前記パレットの上に重ねることができる、
ことを特徴とする駐車装置。
【請求項２】
前記搬送機器に支持される前記パレットの上に重ねられた前記自転車搭載機器を前記搬送機器から引き出して前記パレットから離すことができ、前記パレットから離れている前記自転車搭載機器を前記搬送機器に引き入れて前記搬送機器に支持される前記パレットの上に重ねることができる、
ことを特徴とする請求項１に記載の駐車装置。
【請求項３】
前記搬送機器に支持される前記パレットの上に重ねられ自転車を搭載した状態の前記自転車搭載機器を前記搬送機器から引き出して前記パレットから離すことができ、前記パレットから離れており自転車を搭載した状態の前記自転車搭載機器を前記搬送機器に引き入れて前記搬送機器に支持される前記パレットの上に重ねることができる、
ことを特徴とする請求項２に記載の駐車装置。
【請求項４】
前記自転車搭載機器は、前記パレットの上に重ねられる構造体である自転車搭載構造体と該自転車搭載構造体に固定され自転車を支持する自転車支持部材とを有する、
ことを特徴とする請求項３に記載の駐車装置。
【請求項５】
前記自転車搭載構造体は、前記パレットの上に重ねられ前記パレットに支持される、
ことを特徴とする請求項４に記載の駐車装置。
【請求項６】
前記自転車搭載機器は、該自転車搭載構造体の下部に設けられる車輪である自転車搭載車輪とを有し、
前記自転車搭載車輪が前記パレットの上面を転動可能である、
ことを特徴とする請求項５に記載の駐車装置。
【請求項７】
前記自転車搭載機器は、上から見て略長方形の輪郭をもち、
前記自転車搭載構造体は、前記輪郭の短辺に沿った方向に分離する２つの構造体である第一自転車搭載構造体と第二自転車搭載構造体とを持ち、
前記第一自転車搭載構造体と前記第二自転車搭載構造体との前記輪郭の短辺に沿った方向の相対距離を変化させて、前記輪郭の短辺に沿った方向の巾寸法を調整可能である、
ことを特徴とする請求項６に記載の駐車装置。
【請求項８】
複数の自転車と複数の車両とを駐車空間に駐車させる駐車装置であって、
複数の車両を各々に搭載して駐車空間に位置できる構造体である複数のパレットと、
自転車を搭載でき前記パレットの上に重ねられる自転車搭載機器と、
複数の前記パレットを支持して駐車空間と入出庫のため運転手から車両または自転車を預かる空間である入出庫空間との間で各々に搬送できる搬送機器と、
を備え、
前記搬送機器に支持される前記パレットの上に重ねられた前記自転車搭載機器を前記パレットから離すことができ、前記パレットから離れている前記自転車搭載機器を前記搬送機器に支持される前記パレットの上に重ねることができ、
前記自転車搭載機器は、前記パレットの上に重ねられる構造体である自転車搭載構造体と該自転車搭載構造体に固定され自転車を支持する自転車支持部材とを有する、
ことを特徴とする駐車装置。
【請求項９】
複数の自転車と複数の車両とを駐車空間に駐車させる駐車装置であって、
複数の車両を各々に搭載して駐車空間に位置できる構造体である複数のパレットと、
自転車を搭載でき前記パレットの上に重ねられる自転車搭載機器と、
複数の前記パレットを支持して駐車空間と入出庫のため運転手から車両または自転車を預かる空間である入出庫空間との間で各々に搬送できる搬送機器と、
を備え、
前記搬送機器に支持される前記パレットの上に重ねられた前記自転車搭載機器を前記パレットから離すことができ、前記パレットから離れている前記自転車搭載機器を前記搬送機器に支持される前記パレットの上に重ねることができ、
前記自転車搭載機器は、前記パレットの上に重ねられ前記パレットに支持される構造体である自転車搭載構造体と該自転車搭載構造体に固定され自転車を支持する自転車支持部材とを有し、
ことを特徴とする駐車装置。
【請求項１０】
複数の自転車と複数の車両とを駐車空間に駐車させる駐車装置であって、
複数の車両を各々に搭載して駐車空間に位置できる構造体である複数のパレットと、
自転車を搭載でき前記パレットの上に重ねられる自転車搭載機器と、
複数の前記パレットを支持して駐車空間と入出庫のため運転手から車両または自転車を預かる空間である入出庫空間との間で各々に搬送できる搬送機器と、
を備え、
前記搬送機器に支持される前記パレットの上に重ねられた前記自転車搭載機器を前記パレットから離すことができ、前記パレットから離れている前記自転車搭載機器を前記搬送機器に支持される前記パレットの上に重ねることができ、
前記自転車搭載機器は、前記パレットの上に重ねられる構造体である自転車搭載構造体と該自転車搭載構造体に固定され自転車を支持する自転車支持部材と該自転車搭載構造体の下部に設けられる車輪である自転車搭載車輪とを有し、
前記自転車搭載車輪が前記パレットの上面を転動可能である、
ことを特徴とする駐車装置。
【請求項１１】
複数の自転車と複数の車両とを駐車空間に駐車させる駐車装置であって、
複数の車両を各々に搭載して駐車空間に位置できる構造体である複数のパレットと、
自転車を搭載でき前記パレットの上に重ねられる自転車搭載機器と、
複数の前記パレットを支持して駐車空間と入出庫のため運転手から車両または自転車を預かる空間である入出庫空間との間で各々に搬送できる搬送機器と、
を備え、
前記搬送機器に支持される前記パレットの上に重ねられた前記自転車搭載機器を前記パレットから離すことができ、前記パレットから離れている前記自転車搭載機器を前記搬送機器に支持される前記パレットの上に重ねることができ、
前記自転車搭載機器は、前記パレットの上に重ねられる構造体である自転車搭載構造体を有し、
前記自転車搭載機器は、上から見て略長方形の輪郭をもち、
前記自転車搭載構造体は、前記輪郭の短辺に沿った方向に分離する２つの構造体である第一自転車搭載構造体と第二自転車搭載構造体とを持ち、
前記第一自転車搭載構造体と前記第二自転車搭載構造体との前記輪郭の短辺に沿った方向の相対距離を変化させて、前記輪郭の短辺に沿った方向の巾寸法を調整可能である、
ことを特徴とするの駐車装置。
【請求項１２】
複数の自転車と複数の車両とを駐車空間に駐車させるために複数の車両を各々に搭載して駐車空間に位置できる構造体である複数のパレットと複数の前記パレットを支持して駐車空間と入出庫のため運転手から車両または自転車を預かる空間である入出庫空間との間で各々に搬送できる搬送機器と、を有する駐車装置に用いられる自転車搭載機器であって、
自転車を搭載でき前記パレットの上に重ねられ、
前記搬送機器に支持される前記パレットの上に重ねられた前記自転車搭載機器を前記パレットから離すことができ、前記パレットから離れている前記自転車搭載機器を前記搬送機器に支持される前記パレットの上に重ねることができる、
ことを特徴とする自転車搭載機器。
【請求項１３】
前記搬送機器に支持される前記パレットの上に重ねられた前記自転車搭載機器を前記搬送機器から引き出して前記パレットから離すことができ、前記パレットから離れている前記自転車搭載機器を前記搬送機器に引き入れて前記搬送機器に支持される前記パレットの上に重ねることができる、
ことを特徴とする請求項１２に記載の自転車搭載機器。
【請求項１４】
前記搬送機器に支持される前記パレットの上に重ねられ自転車を搭載した状態の前記自転車搭載機器を前記搬送機器から引き出して前記パレットから離すことができ、前記パレットから離れており自転車を搭載した状態の前記自転車搭載機器を前記搬送機器に引き入れて前記搬送機器に支持される前記パレットの上に重ねることができる、
ことを特徴とする請求項１３に記載の自転車搭載機器。
【請求項１５】
前記パレットの上に重ねられる構造体である自転車搭載構造体と、
該自転車搭載構造体に固定され自転車を支持する自転車支持部材と、
を備える、
ことを特徴とする請求項１４に記載の自転車搭載機器。
【請求項１６】
前記自転車搭載構造体は前記パレットの上に重ねられ前記パレットに支持される、
ことを特徴とする請求項１５に記載の自転車搭載機器。
【請求項１７】
該自転車搭載構造体の下部に設けられる車輪である自転車搭載車輪とを有し、
前記自転車搭載車輪が前記パレットの上面を転動可能である、
ことを特徴とする請求項１５に記載の自転車搭載機器。
【請求項１８】
上から見て略長方形の輪郭をもち、
前記自転車搭載構造体は、前記輪郭の短辺に沿った方向に分離する２つの構造体である第一自転車搭載構造体と第二自転車搭載構造体とを有し、
前記第一自転車搭載構造体と前記第二自転車搭載構造体との前記輪郭の短辺に沿った方向の相対距離を変化させて、
前記輪郭の短辺に沿った方向の巾寸法を調整可能である、
ことを特徴とする請求項１６に記載の駐車装置。
【請求項１９】
複数の自転車と複数の車両とを駐車空間に駐車させるために複数の車両を各々に搭載して駐車空間に位置できる構造体である複数のパレットと複数の前記パレットを支持して駐車空間と入出庫のため運転手から車両または自転車を預かる空間である入出庫空間との間で各々に搬送できる搬送機器と、を有する駐車装置に用いられる自転車搭載機器であって、
前記パレットの上に重ねられる構造体である自転車搭載構造体と、
該自転車搭載構造体に固定され自転車を支持する自転車支持部材と、
を備え、
前記搬送機器に支持される前記パレットの上に重ねられた前記自転車搭載機器を前記パレットから離すことができ、前記パレットから離れている前記自転車搭載機器を前記搬送機器に支持される前記パレットの上に重ねることができる、
ことを特徴とする自転車搭載機器。
【請求項２０】
複数の自転車と複数の車両とを駐車空間に駐車させるために複数の車両を各々に搭載して駐車空間に位置できる構造体である複数のパレットと複数の前記パレットを支持して駐車空間と入出庫のため運転手から車両または自転車を預かる空間である入出庫空間との間で各々に搬送できる搬送機器と、を有する駐車装置に用いられる自転車搭載機器であって、
前記パレットの上に重ねられ前記パレットに支持される構造体である自転車搭載構造体と、
該自転車搭載構造体に固定され自転車を支持する自転車支持部材と、
を備え、
前記搬送機器に支持される前記パレットの上に重ねられた前記自転車搭載機器を前記パレットから離すことができ、前記パレットから離れている前記自転車搭載機器を前記搬送機器に支持される前記パレットの上に重ねることができる、
ことを特徴とする自転車搭載機器。
【請求項２１】
複数の自転車と複数の車両とを駐車空間に駐車させるために複数の車両を各々に搭載して駐車空間に位置できる構造体である複数のパレットと複数の前記パレットを支持して駐車空間と入出庫のため運転手から車両または自転車を預かる空間である入出庫空間との間で各々に搬送できる搬送機器と、を有する駐車装置に用いられる自転車搭載機器であって、
前記パレットの上に重ねられる構造体である自転車搭載構造体と、
該自転車搭載構造体に固定され自転車を支持する自転車支持部材と、
該自転車搭載構造体の下部に設けられる車輪である自転車搭載車輪と、
を備え、
前記自転車搭載車輪が前記パレットの上面を転動可能であり、
前記搬送機器に支持される前記パレットの上に重ねられた前記自転車搭載機器を前記パレットから離すことができ、前記パレットから離れている前記自転車搭載機器を前記搬送機器に支持される前記パレットの上に重ねることができる、
ことを特徴とする自転車搭載機器。
【請求項２２】
複数の自転車と複数の車両とを駐車空間に駐車させるために複数の車両を各々に搭載して駐車空間に位置できる構造体である複数のパレットと複数の前記パレットを支持して駐車空間と入出庫のため運転手から車両または自転車を預かる空間である入出庫空間との間で各々に搬送できる搬送機器と、を有する駐車装置に用いられる自転車搭載機器であって、
自転車を搭載でき前記パレットの上に重ねられる構造体である自転車搭載構造体と、
を備え、
前記搬送機器に支持される前記パレットの上に重ねられた前記自転車搭載機器を前記パレットから離すことができ、前記パレットから離れている前記自転車搭載機器を前記搬送機器に支持される前記パレットの上に重ねることができ、
前記自転車搭載構造体は、前記輪郭の短辺に沿った方向に分離する２つの構造体である第一自転車搭載構造体と第二自転車搭載構造体とを有し、
前記第一自転車搭載構造体と前記第二自転車搭載構造体との前記輪郭の短辺に沿った方向の相対距離を変化させて、
前記輪郭の短辺に沿った方向の巾寸法を調整可能である、
ことを特徴とする自転車搭載機器。
【発明の詳細な説明】
【技術分野】
【０００１】
本発明は、複数の車両または複数の自転車を駐車させる駐車装置に係る。特に、自転車を駐車させるのに適した駐車装置とそれに用いる自転車搭載機器とに関する。
【背景技術】
【０００２】
複数の車両を駐車させるのに駐車装置を用いることがある。
駐車装置は、車両を入出庫空間と駐車空間との間で移載させて駐車空間に駐車させる。
例えば、機械式駐車装置は、車両をパレットに乗せ、パレットを入出庫空間と駐車空間との間で移載させて駐車空間に駐車させる。
【０００３】
他方、自転車の利用が進んでいる。
特に電動自転車の利用が進んでいる。
しかし、都会では、自転車の駐輪場所が不足している。
【０００４】
自動車を利用する機会が少なくなって、将来に向け、主要都市は自動車専用道を建設している。
外国観光客が増えることが予測され、自転車移動を簡易にできる様にすることを目的の一つとしている。
例えば、東京都は「東京都自転車走行空間整備推進計画」を実施中である。
自転車の利用促進はＣＯ２削減にも効果がある。
「観光スポットエリア街」「商店街」「観光会社」等と、街の活性化にも効果がある。
【０００５】
その背景として以下のことが上げられる。
東京都は、オリンピック開催を目指して、自転車レーンの整備を実施している。２０１１年度に１１２ｋｍ、２０２０年度には２２１ｋｍを整備延長する予定である。
一方、若者層の減少や若者の車離れが続いている。
毎年、１００基程度の既設駐車装置が解体されており、解体せずに利用する方法を検討すべきである。
例えば、レンタカー、レンタサイクル等に利用することが考えられる。
また、マンション向けに電動アシスト自転車の保管場所として利用することも考えられる。
【０００６】
レンタサイクルの運用として以下のことが考えられる。
一定の地域を限定し、機械式駐車装置に自転車を駐車させる設備を追加し、自転車をレンタルする。また、電動自転車の充電装置を設置する。
機械式駐車装置を用いて、レンタカーとレンタサイクルとを同時並行におこなうことができる。
【０００７】
都市内には、集客力のある「観光スポット」がある。東京都であれば「スカイツリー」「浅草寺」「グルメタウン」欧米人に大人気の」「ラーメン店」等の観光スポット案内を含めた営業をすることができる。
将来的には、中央監視室（バスク）との通信を行い、ビックデータ処理により、より広範囲に対応できる。
【０００８】
従って、自転車を駐車させるのに便利な駐車装置とそれに用いる自転車搭載機器を提供することが求められる。
【発明の概要】
【発明が解決しようとする課題】
【０００９】
本発明は以上に述べた問題点に鑑み案出されたもので、自転車を駐車させるのに便利な駐車装置と自転車搭載機器とを提供しようとする。
【課題を解決するための手段】
【００１０】
上記目的を達成するため、本発明に係る複数の自転車と複数の車両とを駐車空間に駐車させる駐車装置であって、複数の車両を各々に搭載して駐車空間に位置できる構造体である複数のパレットと、自転車を搭載でき前記パレットの上に重ねられる自転車搭載機器と、複数の前記パレットを支持して駐車空間と入出庫のため運転手から車両または自転車を預かる空間である入出庫空間との間で各々に搬送できる搬送機器と、を備え、前記搬送機器に支持される前記パレットの上に重ねられた前記自転車搭載機器を前記パレットから離すことができ、前記パレットから離れている前記自転車搭載機器を前記搬送機器に支持される前記パレットの上に重ねることができる、ものとした。
【００１１】
上記本発明の構成により、複数のパレットは、複数の車両を各々に搭載して駐車空間に位置できる構造体である。自転車搭載機器は、自転車を搭載でき前記パレットの上に重ねられる。搬送機器は、複数の前記パレットを支持して駐車空間と入出庫のため運転手から車両または自転車を預かる空間である入出庫空間との間で各々に搬送できる。前記搬送機器に支持される前記パレットの上に重ねられた前記自転車搭載機器を前記パレットから離すことができる。前記パレットから離れている前記自転車搭載機器を前記搬送機器に支持される前記パレットの上に重ねることができる。
その結果、自転車を複数の車両を駐車させる駐車装置に駐車させることができる。
【００１２】
以下に、本発明の実施形態に係る駐車装置を説明する。本発明は、以下に記載した実施形態のいずれか、またはそれらの中の二つ以上が組み合わされた態様を含む。
【００１３】
本発明の実施形態に係る駐車装置は、前記搬送機器に支持される前記パレットの上に重ねられた前記自転車搭載機器を前記搬送機器から引き出して前記パレットから離すことができ、前記パレットから離れている前記自転車搭載機器を前記搬送機器に引き入れて前記搬送機器に支持される前記パレットの上に重ねることができる。
上記の実施形態の構成により、前記搬送機器に支持される前記パレットの上に重ねられた前記自転車搭載機器を前記搬送機器から引き出して前記パレットから離すことができる。前記パレットから離れている前記自転車搭載機器を前記搬送機器に引き入れて前記搬送機器に支持される前記パレットの上に重ねることができる。
その結果、複数の自転車を前記自転車搭載機器に搭載して移動できる。
【００１４】
本発明の実施形態に係る駐車装置は、前記搬送機器に支持される前記パレットの上に重ねられ自転車を搭載した状態の前記自転車搭載機器を前記搬送機器から引き出して前記パレットから離すことができ、前記パレットから離れており自転車を搭載した状態の前記自転車搭載機器を前記搬送機器に引き入れて前記搬送機器に支持される前記パレットの上に重ねることができる。
上記の実施形態の構成により、前記搬送機器に支持される前記パレットの上に重ねられ自転車を搭載した状態の前記自転車搭載機器を前記搬送機器から引き出して前記パレットから離すことができる。前記パレットから離れており自転車を搭載した状態の前記自転車搭載機器を前記搬送機器に引き入れて前記搬送機器に支持される前記パレットの上に重ねることができる。
その結果、複数の自転車を前記自転車搭載機器に搭載して移動できる。
【００１５】
本発明の実施形態に係る駐車装置は、前記自転車搭載機器は、前記パレットの上に重ねられる構造体である自転車搭載構造体と該自転車搭載構造体に固定され自転車を支持する自転車支持部材とを有する。
上記の実施形態の構成により、自転車搭載構造体は、前記パレットの上に重ねられる構造体である。自転車支持部材は、該自転車搭載構造体に固定され自転車を支持する。
その結果、自転車が自転車搭載機器に支持される。
【００１６】
本発明の実施形態に係る駐車装置は、前記自転車搭載構造体は、前記パレットの上に重ねられ前記パレットに支持される。
上記の実施形態の構成により、前記自転車搭載構造体は、前記パレットの上に重ねられ前記パレットに支持される。
その結果、自転車が自転車搭載機器を介してパレットに支持される。
【００１７】
本発明の実施形態に係る駐車装置は、前記自転車搭載機器は、該自転車搭載構造体の下部に設けられる車輪である自転車搭載車輪とを有し、
前記自転車搭載車輪が前記パレットの上面を転動可能である。
上記の実施形態の構成により、自転車搭載車輪は、該自転車搭載構造体の下部に設けられる車輪である。前記自転車搭載車輪が前記パレットの上面を転動可能である。
その結果、自転車搭載機器は前記パレットの上面を安定して移動できる。
【００１８】
本発明の実施形態に係る駐車装置は、前記自転車搭載機器は、上から見て略長方形の輪郭をもち、前記自転車搭載構造体は、前記輪郭の短辺に沿った方向に分離する２つの構造体である第一自転車搭載構造体と第二自転車搭載構造体とを持ち、前記第一自転車搭載構造体と前記第二自転車搭載構造体との前記輪郭の短辺に沿った方向の相対距離を変化させて、前記輪郭の短辺に沿った方向の巾寸法を調整可能である。
上記の実施形態の構成により、前記自転車搭載機器は、上から見て略長方形の輪郭をもつ。第一自転車搭載構造体と第二自転車搭載構造体は、前記輪郭の短辺に沿った方向に分離する２つの構造体である。前記第一自転車搭載構造体と前記第二自転車搭載構造体との前記輪郭の短辺に沿った方向の相対距離を変化させて、前記輪郭の短辺に沿った方向の巾寸法を調整可能である。
その結果、自転車搭載機器の巾寸法をパレットの巾寸法に合わせることができる。
【００１９】
上記目的を達成するため、本発明に係る複数の自転車と複数の車両とを駐車空間に駐車させるために複数の車両を各々に搭載して駐車空間に位置できる構造体である複数のパレットと複数の前記パレットを支持して駐車空間と入出庫のため運転手から車両または自転車を預かる空間である入出庫空間との間で各々に搬送できる搬送機器と、を有する駐車装置に用いられる自転車搭載機器であって、自転車を搭載でき前記パレットの上に重ねられ、前記搬送機器に支持される前記パレットの上に重ねられた前記自転車搭載機器を前記パレットから離すことができ、前記パレットから離れている前記自転車搭載機器を前記搬送機器に支持される前記パレットの上に重ねることができる、ものとした。
【００２０】
上記本発明の構成により、駐車装置は、複数の自転車と複数の車両とを駐車空間に駐車させるために複数の車両を各々に搭載して駐車空間に位置できる構造体である複数のパレットと複数の前記パレットを支持して駐車空間と入出庫のため運転手から車両または自転車を預かる空間である入出庫空間との間で各々に搬送できる搬送機器と、を有する。自転車を搭載でき前記パレットの上に重ねられる。前記搬送機器に支持される前記パレットの上に重ねられた前記自転車搭載機器を前記パレットから離すことができる。前記パレットから離れている前記自転車搭載機器を前記搬送機器に支持される前記パレットの上に重ねることができる、
その結果、自転車を複数の車両を駐車させる駐車装置に駐車させることができる。
【００２１】
以下に、本発明の実施形態に係る自転車搭載機器を説明する。本発明は、以下に記載した実施形態のいずれか、またはそれらの中の二つ以上が組み合わされた態様を含む。
【００２２】
本発明の実施形態に係る自転車搭載機器は、前記搬送機器に支持される前記パレットの上に重ねられた前記自転車搭載機器を前記搬送機器から引き出して前記パレットから離すことができ、前記パレットから離れている前記自転車搭載機器を前記搬送機器に引き入れて前記搬送機器に支持される前記パレットの上に重ねることができる、
上記の実施形態の構成により、前記搬送機器に支持される前記パレットの上に重ねられた前記自転車搭載機器を前記搬送機器から引き出して前記パレットから離すことができる。前記パレットから離れている前記自転車搭載機器を前記搬送機器に引き入れて前記搬送機器に支持される前記パレットの上に重ねることができる、
その結果、複数の自転車を搭載した前記自転車搭載機器に乗せて移動できる。
【００２３】
本発明の実施形態に係る自転車搭載機器は、前記搬送機器に支持される前記パレットの上に重ねられ自転車を搭載した状態の前記自転車搭載機器を前記搬送機器から引き出して前記パレットから離すことができ、前記パレットから離れており自転車を搭載した状態の前記自転車搭載機器を前記搬送機器に引き入れて前記搬送機器に支持される前記パレットの上に重ねることができる。
上記の実施形態の構成により、前記搬送機器に支持される前記パレットの上に重ねられ自転車を搭載した状態の前記自転車搭載機器を前記搬送機器から引き出して前記パレットから離すことができる。前記パレットから離れており自転車を搭載した状態の前記自転車搭載機器を前記搬送機器に引き入れて前記搬送機器に支持される前記パレットの上に重ねることができる。
その結果、複数の自転車を搭載した前記自転車搭載機器に乗せて移動できる。
【００２４】
本発明の実施形態に係る自転車搭載機器は、前記パレットの上に重ねられる構造体である自転車搭載構造体と、該自転車搭載構造体に固定され自転車を支持する自転車支持部材と、を備える。
上記の実施形態の構成により、自転車搭載構造体は、前記パレットの上に重ねられる構造体である。自転車支持部材は、該自転車搭載構造体に固定され自転車を支持する。
その結果、自転車が自転車搭載機器に支持される。
【００２５】
本発明の実施形態に係る自転車搭載機器は、前記自転車搭載構造体は前記パレットの上に重ねられ前記パレットに支持される。
上記の実施形態の構成により、前記自転車搭載構造体は、前記パレットの上に重ねられ前記パレットに支持される。
その結果、自転車が自転車搭載機器を介してパレットに支持される。
【００２６】
本発明の実施形態に係る自転車搭載機器は、該自転車搭載構造体の下部に設けられる車輪である自転車搭載車輪とを有し、前記自転車搭載車輪が前記パレットの上面を転動可能である。
上記の実施形態の構成により、自転車搭載車輪は、該自転車搭載構造体の下部に設けられる車輪である。前記自転車搭載車輪が前記パレットの上面を転動可能である。
その結果、自転車搭載機器は前記パレットの上面を安定して移動できる。
【００２７】
本発明の実施形態に係る自転車搭載機器は、上から見て略長方形の輪郭をもち、
前記自転車搭載構造体は、前記輪郭の短辺に沿った方向に分離する２つの構造体である第一自転車搭載構造体と第二自転車搭載構造体とを有し、前記第一自転車搭載構造体と前記第二自転車搭載構造体との前記輪郭の短辺に沿った方向の相対距離を変化させて、前記輪郭の短辺に沿った方向の巾寸法を調整可能である。
上記の実施形態の構成により、前記自転車搭載機器は、上から見て略長方形の輪郭をもつ。第一自転車搭載構造体と第二自転車搭載構造体は、前記輪郭の短辺に沿った方向に分離する２つの構造体である。前記第一自転車搭載構造体と前記第二自転車搭載構造体との前記輪郭の短辺に沿った方向の相対距離を変化させて、前記輪郭の短辺に沿った方向の巾寸法を調整可能である。
その結果、自転車搭載機器の巾寸法をパレットの巾寸法に合わせることができる。
【発明の効果】
【００２８】
以上説明したように、本発明に係る駐車方法と駐車方装置と自転車搭載機器は、その構成により、以下の効果を有する。
複数の車両を各々に搭載する複数のパレットが搬送機器により駐車空間と入出庫空間との間を搬送され、自転車を搭載できる自転車搭載構造体がパレットの上に重ねられ、前記搬送機器に支持される前記パレットの上に重ねられた前記自転車搭載機器を前記パレットから離すことができ、前記パレットから離れている前記自転車搭載機器を前記搬送機器に支持される前記パレットの上に重ねることができる、様にしたので、自転車を複数の車両を駐車させる駐車装置に駐車させることができる。
また、前記搬送機器に支持される前記パレットの上に重ねられた前記自転車搭載機器を前記搬送機器から引き出して前記パレットから離すことができ、前記パレットから離れている前記自転車搭載機器を前記搬送機器に引き入れて前記搬送機器に支持される前記パレットの上に重ねることができる様にしたので、複数の自転車を前記自転車搭載機器に搭載して移動できる。
また、前記搬送機器に支持される前記パレットの上に重ねられ自転車を搭載した状態の前記自転車搭載機器を前記搬送機器から引き出して前記パレットから離すことができ、前記パレットから離れており自転車を搭載した状態の前記自転車搭載機器を前記搬送機器に引き入れて前記搬送機器に支持される前記パレットの上に重ねることができる様にしたので、複数の自転車を前記自転車搭載機器に搭載して移動できる。
また、前記パレットの上に重ねられる自転車搭載構造体に固定される前記自転車支持部材が自転車を支持する様にしたので、自転車が自転車搭載機器に支持される。
また、前記自転車搭載構造体は、前記パレットの上に重ねられ前記パレットに支持される様にしたので、自転車が自転車搭載機器を介してパレットに支持される。
また、自転車搭載構造体の下部に前記パレットの上面を転動する自転車搭載車輪を設ける様にしたので、自転車搭載機器は前記パレットの上面を安定して移動できる。
また、自転車搭載構造体が自転車搭載機器の輪郭の短辺に沿った方向に分離する２つの構造体を持ち、２つの構造体の短辺に沿った方向の相対距離を変化させて、短辺に沿った方向の巾寸法を調整可能な様にしたので、自転車搭載機器の巾寸法をパレットの巾寸法に対応して合わせることができる。
【図面の簡単な説明】
【００２９】
【図１】本発明の実施形態に係る駐車装置の斜視図その１である。
【図２】本発明の実施形態に係る駐車装置の斜視図その２である。
【図３】本発明の実施形態に係る駐車装置の部分図である。
【図４】本発明の実施形態に係る駐車装置の説明図である。
【図５】本発明の実施形態に係る駐車装置の作用説明図である。
【図６】本発明の実施形態に係る駐車装置群の概念図である。
【図７】本発明の実施形態に係る駐車装置群のシステム図である。
【図８】本発明の実施形態にかかる駐車装置群の制御フロー図である。
【図９】本発明の実施形態に係る自転車搭載機器の作用説明図その１である。
【図１０】本発明の実施形態に係る自転車搭載機器の作用説明図その２である。
【図１１】本発明の実施形態に係る自転車搭載機器の作用説明図その３である。
【図１２】本発明の第一の実施形態にかかる駐車装置の概念図である。
【図１３】駐車装置の各種バリエーション図である。
【発明を実施するための形態】
【００３０】
以下、本発明を実施するための形態を、図面を参照して説明する。
【００３１】
最初に、本発明の実施形態にかかる駐車方法を、図を基に、説明する。
図１は、本発明の実施形態に係る駐車装置の斜視図その１である。図２は、本発明の実施形態に係る駐車装置の斜視図その２である。図３は、本発明の実施形態に係る駐車装置の部分図である。図４は、本発明の実施形態に係る駐車装置の説明図である。図５は、本発明の実施形態に係る駐車装置の作用説明図である。図６は、本発明の実施形態に係る駐車装置群の概念図である。図７は、本発明の実施形態に係る駐車装置群のシステム図である。図８は、本発明の実施形態にかかる駐車装置群の制御フロー図である。図９は、本発明の実施形態に係る自転車搭載機器の作用説明図その１である。図１０は、本発明の実施形態に係る自転車搭載機器の作用説明図その２である。図１１は、本発明の実施形態に係る自転車搭載機器の作用説明図その３である。
【００３２】
最初に、本発明の実施形態にかかる駐車装置１００を説明する。
本発明の実施形態にかかる駐車装置１００は、複数の車両５または複数の自転車６を複数の駐車空間７１に各々に置いて駐車させる装置である。
例えば、本発明の実施形態にかかる駐車装置１００は、複数の車両５を複数の駐車空間７１に各々に置いて駐車させる装置である。
例えば、本発明の実施形態にかかる駐車装置１００は、複数の自転車６を複数の駐車空間７１に各々に置いて駐車させる装置である。
例えば、本発明の実施形態にかかる駐車装置１００は、複数の車両５と複数の自転車６を複数の駐車空間７１に各々に置いて駐車させる装置である。
自転車は電動自転車を含む。
【００３３】
本発明の実施形態にかかる自転車搭載機器は、本発明の実施形態にかかる駐車装置に用いるものである。
【００３４】
本発明の実施形態にかかる駐車装置１００は、複数のパレット２０と自転車搭載機器６０と搬送機器４０とで構成される。
本発明の実施形態にかかる駐車装置１００は、複数のパレット２０と複数の自転車搭載機器６０と搬送機器４０とで構成されてもよい。
本発明の実施形態にかかる駐車装置１００は、主構造体１０と複数のパレット２０と複数の自転車搭載機器６０と搬送機器４０と電源機器５０で構成されてもよい。
【００３５】
主構造体１０は、駐車空間７１を形成する柱材１１と梁材１２とを有する構造体である。
主構造体１０は、駐車空間７１を形成する柱材１１と梁材１２と斜材１３を有する構造体であってもよい。
４本の柱材１１が、上から見て４隅に起立する。
複数の梁材１２が上下方向に所定のピッチで並び、一対の柱材に両端を固定される。
斜材１３が、柱材１１と梁材１２とで形成される矩形構造に斜めに渡される。
【００３６】
複数のパレット２０は、複数の車両５を各々に搭載して駐車空間７１に位置できる構造体である。
パレット２０は、車両５を搭載して駐車空間７１に位置できる。
例えば、パレット２０は、上から見て矩形の輪郭をもつ構造体である。
例えば、パレット２０は、上から見て略長方形の輪郭をもつ構造体である。
図１乃至図２に、車両５を搭載したパレット１０が駐車空間７１に位置する様子を示す。
【００３７】
搬送機器４０は、複数のパレット２０を支持して駐車空間７１と入出庫空間７２との間で各々に搬送できる機器である。
搬送機器は、複数のパレット２０を支持して駐車空間７１と入出庫空間７２との間で各々に搬送できる。
搬送機器４０は、複数のパレットを駐車空間７１と入出庫空間７２との間で各々に搬送できる。
ここで、入出庫空間７２は、入出庫のため運転手から車両５を預かる空間である。
また、入出庫空間７２は、入出庫のため運転手から自転車６を預かる空間であってもよい。
例えば、入出庫空間７２は、入出庫のため運転手が車両を乗り降りする空間である。
例えば、入出庫空間７２は、入出庫のため運転手が自転車を乗り捨てる空間である。
【００３８】
自転車搭載機器６０は、自転車を搭載でき、パレット２０の上に重ねられる機器である。
自転車搭載機器６０は、自転車を搭載でき、パレット２０の上に脱着可能に重ねられる機器であってもよい。
【００３９】
自転車搭載機器６０は、自転車を搭載でき、パレット２０の上に重ねられてパレット２０に支持される機器であってもよい。
自転車搭載機器６０は、自転車を搭載でき、パレット２０の上に脱着可能に重ねられ、パレットに支持される機器であってもよい。
【００４０】
搬送機器４０に支持されるパレット２０の上に重ねられた自転車搭載機器６０をパレット２０から離すことができる。
自転車搭載機器６０を搬送機器４０に支持されるパレット２０の上に重ねることができる。
【００４１】
搬送機器４０に支持されるパレット２０の上に重ねられた自転車搭載機器６０を搬送機器４０から引き出すことができる。
自転車搭載機器６０を搬送機器４０に引き入れて搬送機器４０に支持されるパレット２０の上に重ねることができる。
【００４２】
搬送機器４０に支持されるパレット２０の上に重ねられた自転車搭載機器６０を搬送機器４０から引き出してパレット２０から離すことができる。
パレット２０から離れている自転車搭載機器６０を搬送機器４０に引き入れて搬送機器４０に支持されるパレット２０の上に重ねることができる。
【００４３】
搬送機器に支持されるパレット２０の上に重ねられ自転車６を搭載した状態の自転車搭載機器６０を搬送機器４０から引き出してパレット２０から離すことができる。
パレット２０から離れており自転車６を搭載した状態の自転車搭載機器６０を搬送機器４０に引き入れて搬送機器４０に支持されるパレット２０の上に重ねることができる。
【００４４】
自転車搭載機器６０は、自転車搭載構造体６１と自転車支持部材６２とで構成されてもよい。
自転車搭載機器６０は、自転車搭載構造体６１と自転車支持部材６２と自転車搭載車輪６３とで構成されてもよい。
自転車搭載機器６０は、自転車搭載構造体６１と自転車支持部材６２と自転車搭載車輪６３と自転車搭載ガイド６４とで構成されてもよい。
自転車搭載機器６０は、自転車搭載構造体６１と自転車支持部材６２と自転車搭載車輪６３と自転車搭載ガイド６４と自転車搭載脱着部材（図示せず）とで構成されてもよい。
【００４５】
自転車搭載構造体６１は、パレット２０の上に重ねられる構造体である。
自転車搭載構造体６１は、パレット２０の上に重ねられ、パレット２０に支持されてもよい。
自転車搭載構造体６１は、上から見て略矩形の板構造であってもよい。
図４は、自転車搭載構造体６１がパレット２０の上に重ねられる様子を示す。
図４（Ａ）は、パレット２０が鋼材と鉄板とで構成され、自転車搭載構造体６１がパレット２０の上に重ねられる示す。
図４（Ｂ）は、パレット２０がプレスされ所定の形状に成形された鉄板で構成され、自転車搭載構造体６１がパレット２０の上に重ねられるを示す。
【００４６】
自転車搭載機器６０は、上から見て略長方形の輪郭をもっていてもよい。
自転車搭載構造体６１は、輪郭の短辺に沿った方向に分離する２つの構造体である第一自転車搭載構造体６１ａと第二自転車搭載構造体６１ｂとで構成される。
第一自転車搭載構造体６１ａと第二自転車搭載構造体６１ｂとの輪郭の短辺に沿った方向の相対距離を変化させて、輪郭の短辺に沿った方向の巾寸法を調整可能である。
図４（Ａ）は、第一自転車搭載構造体６１ａと第二自転車搭載構造体６１ｂとの輪郭の短辺に沿った方向の相対距離を変化させる様子を示す。
【００４７】
自転車支持部材６２は、自転車搭載構造体６１に固定され自転車を支持する部材である。
自転車支持部材６２は、自転車搭載構造体６１に固定され自転車の車輪を保持して自転車を支持してもよい。
図３乃至図５は、自転車支持部材６２が自転車の車輪を保持して自転車を支持する様子を示す。
【００４８】
自転車搭載車輪６３は、自転車搭載構造体６１の下部に設けられる車輪である。
自転車搭載車輪６３は、パレット２０の上面を転動可能である。
自転車搭載車輪６３は、パレット２０の車両のタイヤが転動する上面を転動可能である。
自転車搭載車輪６３は、自転車搭載機器６０が搬送機器４０から引き出されたときに、地上を転動する。
図１０は、自転車搭載車輪６３の支持脚構造６５が下方に延びて、自転車搭載車輪６３が地上を転動する様子を示す。
【００４９】
自転車搭載ガイド６４は、自転車搭載機器６０をトラック等の荷台に乗せるときに荷台の側面に当接し、ガイドする部材である。
図１１は、自転車搭載ガイド６４がトラック等の荷台の側面に当接する様子を示す。
【００５０】
自転車搭載脱着部材（図示せず）は、自転車搭載機器６０をパレット２０の上に乗せたときに、自転車搭載構造体６１をパレット２０に係合する部材である。
自転車搭載脱着部材（図示せず）が自転車搭載構造体６１とパレット２０との係合を外して、自転車搭載機器６０をパレット２０から離す。
自転車搭載機器６０をパレット２０の上に重ねるときに、自転車搭載脱着部材（図示せず）が自転車搭載構造体６１をパレット２０に係合させる。
例えば、自転車搭載脱着部材（図示せず）は、自転車搭載構造体６１とパレット２０との一方に設けられる係合ピンである。係合ピンは、自転車搭載構造体６１とパレット２０との他方に設けられた係合穴に係合する。
【００５１】
電源機器５０は、電力を搬送機器４０へ給電できる機器である。
【００５２】
複数の駐車装置１００のうちの一つの駐車装置１００に駐車する自転車６を出庫させ、出庫させた自転車６を複数の駐車装置１００のうちの一つの駐車装置１００に入庫させることができる。
出庫する駐車装置１００と入庫する駐車装置１００とが同じでもよい。
【００５３】
複数の駐車装置１００のうちの一つの駐車装置１００に駐車する自転車６を出庫させ、出庫させた自転車６を複数の駐車装置１００のうちの他の駐車装置１００に入庫させることができる。
【００５４】
複数の駐車装置１００のうちの一つの駐車装置１００に駐車する複数の自転車を一体として出庫させ、一体として出庫させた複数の自転車を複数の駐車装置１００のうちの他の駐車装置１００に一体として入庫させることができてもよい。
【００５５】
自転車６とその自転車６を入庫させた駐車装置１００とを関連づけてデータベースＤＢに記録してもよい。
自転車６とその自転車６を出庫させた駐車装置１００とその自転車を入庫させた駐車装置１００とを関連づけてデータベースＤＢに記録してもよい。
自動車が、出庫と入庫を繰り返す毎に、データベースＤＢを更新する。
【００５６】
複数の駐車装置１００のうちの一つの駐車装置１００の搬送機器４０から自転車搭載機器６０を引き出し、引き出した自転車搭載機器６０を複数の駐車装置群のうちの他の駐車装置１００の搬送機器４０へ引き入れることができてもよい。
【００５７】
複数の駐車装置１００のうちの一つの駐車装置１００の搬送機器から自転車６を搭載した自転車搭載機器６０を引き出し、引き出した自転車６を搭載した自転車搭載機器６０を複数の駐車装置１００のうちの他の駐車装置１００の搬送機器４０へ引き入れることができてもよい。
【００５８】
複数の駐車装置１００のうちの一つの駐車装置１００の搬送機器から複数の自転車６を搭載した自転車搭載機器６０を引き出し、引き出した複数の自転車６を搭載した自転車搭載機器６０を複数の駐車装置１００のうちの他の駐車装置１００の搬送機器４０へ引き入れることができてもよい。
【００５９】
搬送機器４０に支持されるパレットの上に重ねられた自転車搭載機器６０を搬送機器４０から引き出してパレット３０から離すことができ、パレット２０から離れている自転車搭載機器６０を搬送機器４０に引き入れて搬送機器４０に支持されるパレット２０の上に重ねることができる。
【００６０】
搬送機器４０に支持されるパレット２０の上に重ねられ自転車６を搭載した状態の自転車搭載機器６０を搬送機器４０から引き出してパレット２０から離すことができ、パレット２０から離れており自転車６を搭載した状態の自転車搭載機器６０を搬送機器４０に引き入れて搬送機器４０に支持されるパレット２０の上に重ねることができる。
【００６１】
次に、本発明の実施形態にかかる駐車方法を説明する。
【００６２】
本発明の実施形態にかかる駐車方法は、準備工程と出庫工程Ｓ１０と入庫工程Ｓ２０とで構成される。
本発明の実施形態にかかる駐車方法は、準備工程と自転車搭載機器引き出し工程Ｓ３０と自転車搭載機器引き入れ工程Ｓ４０とで構成される。
本発明の実施形態にかかる駐車方法は、準備工程と自転車搭載機器引き出し工程Ｓ３０と自転車搭載機器引き入れ工程Ｓ４０と記録工程Ｓ５０とで構成されてもよい。
本発明の実施形態にかかる駐車方法は、準備工程と出庫工程Ｓ１０と入庫工程Ｓ２０と自転車搭載機器引き出し工程Ｓ３０と自転車搭載機器引き入れ工程Ｓ４０とで構成されてもよい。
本発明の実施形態にかかる駐車方法は、準備工程と出庫工程Ｓ１０と入庫工程Ｓ２０と自転車搭載機器引き出し工程Ｓ３０と自転車搭載機器引き入れ工程Ｓ４０と記録工程Ｓ５０とで構成されてもよい。
【００６３】
準備工程は、複数の駐車装置１００を準備する工程である。
駐車装置１００の構成は、上述したので説明を省略する。
【００６４】
出庫工程Ｓ１０は、複数の駐車装置１００のうちの一つの駐車装置１００に駐車する車両５または自転車６を出庫させる工程である。
入庫作業Ｓ２０は、出庫工程で出庫させた車両５または自転車６を複数の駐車装置１００のうちの一つの駐車装置１００に入庫させる工程である。
図１は、自転車に替えて車両を駐車装置１００に入出庫させる様子を示す。
図６は、複数の駐車装置１００の各々毎に、出庫工程Ｓ１０と入庫工程Ｓ２０を実行する様子を示す。
【００６５】
出庫工程Ｓ１０は、複数の駐車装置１００のうちの一つの駐車装置１００に駐車する車両５または自転車６を出庫させる工程である。
入庫作業Ｓ２０は、出庫工程で出庫させた車両５または自転車６を複数の駐車装置１００のうちの他の駐車装置１００に入庫させる工程であってもよい。
【００６６】
出庫工程Ｓ１０は、複数の駐車装置１００のうちの一つの駐車装置１００に駐車する複数の自転車６を一体として出庫させる工程てあってもよい。
入庫作業Ｓ２０は、入庫工程で一体として出庫させた複数の自転車６を複数の駐車装置１００のうちの他の駐車装置１００に一体として入庫させる工程であってもよい。
【００６７】
記録工程Ｓ５０は、自転車６と自転車６を入庫させた駐車装置１００とを関連づけてデータベースＤＢに記録する工程である。
記録工程Ｓ５０は、自転車６と自転車６を出庫させた駐車装置１００と自転車を入庫させた駐車装置１００とを関連づけてデータベースＤＢに記録する工程であってもよい。
自転車毎に出庫工程Ｓ１０と入庫工程Ｓ２０とを繰り返す度に記録工程Ｓ５０を実行しデータベースＤＢを更新する。
中央制御装置８０にインストールされた記録工程Ｓ５０用プログラムが、データベースＤＢを更新する。
中央制御装置８０は、ＣＰＵとメモリと通信Ｉ／Ｆを備えたコンピュータである。
図７は、中央制御装置８０が、駐車装置群の複数の駐車装置１００と通信をする様子を示す。
例えば、中央制御装置８０は中央監視室（パスク）に置かれる。中央監視室（パスク）は複数の駐車装置との通信を各々に行い、ビックデータ処理によりデータベースＤＢを管理する。その結果、より広範囲に対応できる。
【００６８】
自転車搭載機器引き出し工程Ｓ３０は、複数の駐車装置１００のうちの一つの駐車装置１００の搬送機器４０から自転車搭載機器６０を引き出す工程である。
自転車搭載機器引き入れ工程Ｓ４０は、自転車搭載機器引き出し工程Ｓ３０で引き出した自転車搭載機器６０を複数の駐車装置１００のうちの他の駐車装置１００の搬送機器へ引き入れる工程であってもよい。
図２は、自転車搭載機器６０を駐車装置１００の搬送機器を引き出す様子、自転車搭載機器６０を駐車装置１００の搬送装置に引き入れる様子を示す。
図８は、駐車装置群の複数の駐車装置１００の各々毎に、自転車搭載機器引き出し工程Ｓ３０と自転車搭載機器引き入れ工程Ｓ４０を実行する様子を示す。
【００６９】
自転車搭載機器引き出し工程Ｓ３０は、複数の駐車装置１００のうちの一つの駐車装置１００の搬送機器４０から自転車６を搭載した状態の自転車搭載機器６０を引き出す工程であってもよい。
自転車搭載機器引き入れ工程Ｓ４０は、自転車搭載機器引き出し工程Ｓ３０で引き出した自転車６を搭載した状態の自転車搭載機器６０を複数の駐車装置１００のうちの他の駐車装置１００の搬送機器４０へ引き入れる工程であってもよい。
【００７０】
次に、本発明の第一の実施形態にかかる駐車装置１００を、詳述する。
【００７１】
本発明の第一の実施形態に係る駐車装置１００を、図を基に、説明する。
図１２は、本発明の第一の実施形態に係る駐車装置１００の正面図である。
本発明の第一の実施形態に係る駐車装置１００は、パレットを用いるエレベータ方式の機械装置に本願発明を適用したものである。
【００７２】
本発明の第一の実施形態にかかる駐車装置１００は、主構造体１０と複数のパレット２０と充電機器３０と搬送機器４０と自転車搭載機器６０と電源機器５０とで構成されてもよい。
【００７３】
主構造体１０は、駐車空間を形成する柱材１１と梁材１２とを有する構造体である。
主構造体１０は、駐車空間を形成する柱材１１と梁材１２と斜材１３と駐車棚レール１４とを有する構造体でってもよい。
例えば、４本の柱材が駐車装置１００の四隅に配置され起立する。
複数の梁材１２が、高さ方向に所定のピッチで配され、端部を４本の柱材に固定される。
複数の斜材１３が、上下の梁材の間に配され、主構造体を補強する。
複数の駐車空間７１が、左右に分かれて、上下方向に配置する様に、形成される。
後述の複数のパレット２０が、複数の駐車空間７１に各々に支持される。
駐車棚レール１４が、駐車空間の下方に配される。
【００７４】
パレット２０は、車両５を搭載して駐車空間７１に位置できる構造体である。
例えば、パレット２０は、パレット主構造体２１と４個の車輪２２とで構成されてもよい。
パレット主構造体２１は、上から見て略矩形の板構造体である。
パレット主構造体２１は、車両の左右の転動するタイヤを案内する左右１対の案内面を設けられる。
４個の車輪２２が、パレット主構造体２１の四隅に配され、矩形の短辺に沿った方向に転動してもよい。
２個で１対の車輪２２が、２本の駐車棚レール１４の上を各々に転動する。
例えば、パレット２０は、パレット主構造体２１の短辺を駐車棚レール１４の長手方向に沿うように、水平移動できる。
【００７５】
入出庫空間７２は、入出庫のため運転手から車両５または自転車６を預かる空間である。
入出庫空間７２は、入出庫のため運転手が車両５を乗り降りする空間または自転車６をあずける空間の一方であってもよい。。
例えば、車両５または自転車６は、入庫するための入出庫空間７２でパレット２０に乗り込み、または出庫するための入出庫空間７２でパレット２０から下りる。
エレベータ方式駐車機構では、例えば、入出庫空間７２は上下移動空間Ｈの真下に位置する。
エレベータ方式駐車機構では、例えば、入出庫空間７２は上下移動空間Ｈの真上に位置する。
エレベータ方式駐車機構では、例えば、入出庫空間７２は上下移動空間Ｈの中間に位置する。
【００７６】
駐車空間７１は、車両５または自転車６を置いて駐車させる空間である。
例えば、車両５を乗せたパレット２０が駐車空間７１に置かれて、車両５を駐車させる。
例えば、自転車６を乗せた自転車搭載機器６０を上に乗せたパレット２０が駐車空間７１に置かれて、自転車６を駐車させる。
図１２は、複数の左右１対の駐車空間７１が、上下移動空間Ｈの左右に上下に並んで多段に配される様子を示す。
車両５を乗せたパレット２０を駐車棚レール１４に乗せることにより、車両５を駐車空間７１で駐車させる。
自転車６を乗せた自転車搭載機器６０を上に重ねられたパレット２０を駐車棚レール１４に乗せることにより、自車６を駐車空間７１で駐車させる。
例えば、後述する搬送機器４０が駐車空間７１に位置するパレット２０の短辺に沿った方向に並んだ駐車空間７１の横の空間に停留できる。パレット２０は、パレットの短辺に沿った方向に水平移動して、駐車空間７１の横に停留したケージ４１と駐車空間７１との間で水平移動できる。この場合、パレット２０の短辺に沿った方向が移載方向に相当する。
【００７７】
充電機器３０は、電動自転車６に用いる自転車用電池を充電する機器である。
自転車用電池７を電動自転車６から外して、外した自転車用電池７を充電機器３０に装着する。
充電機器３０が、装着された自転車用電池７に電源機器から給電される電力を充電する。
充電が完了すると、自転車様電池７を充電機器３０から外し、自転車様電池７を自転車に取り付ける。
【００７８】
搬送機器４０は、複数のパレット２０を駐車空間７１と入出庫空間７２との間で各々に搬送できる機器である。
例えば、搬送装置４０は、ケージ４１と巻上げ機器４２と移載機器４３である。
ケージ４１は、上下移動空間Ｈをワイヤにより上下移動自在に吊られた構造体である。
パレット２０がケージ４１に乗せらる。
巻上げ機器４２は、ケージ４１を吊るワイヤを巻上げまたは巻き下げる機器である。
巻上げ機器４２は、電源機器５０から電力を給電される。
巻上げ機器４２が、ワイヤを巻上げまたは巻き下げして、ケージ４１を駐車空間７１の横に移動させる。車両５を乗せたパレット２０が、複数の駐車空間７１の内の任意の駐車空間７１の横に位置する。
【００７９】
移載機器（図示せず）は、駐車空間７１の横に停留するケージ４１と駐車空間７１との間でパレット２０を所定の移載方向に水平移動させて移載できる装置である。
移載機器（図示せず）は、駐車空間７１の横に停留するケージ４１から駐車空間７１へパレット２０を所定の移載方向に水平移動させて、パレット２０を駐車空間７１に乗せる。
移載機器（図示せず）は、駐車空間７１から駐車空間７１の横に停留するケージ４１へパレット２０を所定の移載方向に水平移動させて、パレット２０をケージ４１に乗せる。
例えば、移載機器（図示せず）は先端をパレット２０に係合できる回転レバーを持つ。回転レバーを回転させると、パレット２０を駐車空間７１の横に停留するケージ４１と駐車空間７１との間で移送方向に水平移動できる。
移載機器（図示せず）が、駐車空間７１の横に停留するケージ４１と駐車空間７１との間でパレット２０を所定の左右方向に水平移動させて移載する。
【００８０】
自転車搭載機器６０は、自転車６を搭載できパレット２０の上に重ねられる機器である。
自転車搭載機器６０の構成は、上述したものと同じなので、説明を省略する。
図１２に、自転車搭載機器６０がパレット２０の上に重ねられパレット２０に支持され、複数の自転車６が自転車支持部材６２に把持されて自転車搭載機器６０に搭載される様子を示す。
【００８１】
電源機器５０は、電力を搬送装置４０と充電機器３０とへ給電できる機器である。
例えば、電源機器５０は、電源盤５１と第一電源ケーブル５２と第二電源ケーブル５３とで構成される。
商用電源が、電源盤５１に接続される。
電源盤５１は、第一電源ケーブル５２を介して搬送装置４０へ電力を給電する。
電源盤５１は、第二電源ケーブル５３を介して充電機器３０へ電力を給電する。
【００８２】
複数の充電機器３０が、入出庫空間７２で自転車用電池７をセットされるように各々に設置される。
【００８３】
複数の充電機器３０が、隣合う一対の柱材１１の入出庫空間７２を形成する箇所で挟まれる空間である設置空間に設置されてもよい。
【００８４】
複数の駐車装置１００のうちの一つの駐車装置１００に駐車する自転車６を出庫させ、出庫させた自転車６を複数の駐車装置１００のうちの一つの駐車装置１００に入庫させ、自転車６とその自転車６を入庫させた駐車装置１００とを関連づけてデータベースＤＢに記録し、自転車毎に出庫と入庫とを繰り返す度にデータベースＤＢを更新する。
複数の駐車装置１００のうちの一つの駐車装置１００に駐車する自転車６を出庫させ、出庫させた自転車６を複数の駐車装置１００のうちの一つの駐車装置１００に入庫させ、自転車６とその自転車６を出庫させた駐車装置１００とその自転車６を入庫させた駐車装置１００とを関連づけてデータベースＤＢに記録し、自転車６の各々毎に出庫と入庫とを繰り返す度にデータベースＤＢを更新してもよい。
【００８５】
複数の駐車装置１００のうちの一つの駐車装置１００に駐車する自転車６を出庫させ、出庫させた自転車６を複数の駐車装置１００のうちの他の駐車装置１００に入庫させ、自転車６とその自転車６を出庫させた駐車装置１００とその自転車６を入庫させた駐車装置１００とを関連づけてデータベースＤＢに記録し、自転車６の各々毎に出庫と入庫とを繰り返す度にデータベースＤＢを更新してもよい。
【００８６】
複数の駐車装置１００のうちの一つの駐車装置１００に駐車する複数の自転車６を一体として出庫させ、一体として出庫させた複数の自転車６を複数の駐車装置１００のうちの他の駐車装置１００に一体として入庫させ、自転車６とその自転車６を入庫させた駐車装置１００とを関連づけてデータベースＤＢに記録し、複数の自転車の各々毎に出庫と入庫とを繰り返す度にデータベースＤＢを更新してもよい。
【００８７】
複数の駐車装置１００のうちの一つの駐車装置１００の搬送機器４０から自転車搭載機器６０を引き出し、引き出した自転車搭載機器６０を複数の駐車装置群のうちの他の駐車装置１００の搬送機器へ引き入れることができてもよい。
【００８８】
複数の駐車装置１００のうちの一つの駐車装置１００の搬送機器４０から自転車を搭載した自転車搭載機器６０を引き出し、引き出した自転車を搭載した自転車搭載機器６０を複数の駐車装置１００のうちの他の駐車装置１００の搬送機器４０へ入れることができてもよい。
【００８９】
複数の駐車装置１００のうちの一つの駐車装置１００の搬送機器４０から複数の自転車６を搭載した自転車搭載機器６０を引き出し、引き出した複数の自転車６を搭載した自転車搭載機器６０を複数の駐車装置１００のうちの他の駐車装置１００の搬送機器４０へ入れることができてもよい。
【００９０】
以下に、本発明の第一の実施形態にかかる駐車方法を詳述する。
本発明の第一の実施形態にかかる駐車方法は、複数の自転車を駐車させる方法である。
本発明の第一の実施形態にかかる駐車方法は、複数の車両または複数の自転車を駐車させる方法である。
【００９１】
本発明の第一の実施形態にかかる駐車方法は、準備工程と出庫工程Ｓ１０と入庫工程Ｓ２０とで構成される。
本発明の第一の実施形態にかかる駐車方法は、準備工程と出庫工程Ｓ１０と入庫工程Ｓ２０と記録工程Ｓ５０とで構成されてもよい。。
本発明の第一の実施形態にかかる駐車方法は、準備工程と自転車搭載機器引き出し工程Ｓ３０と自転車搭載機器引き入れ工程Ｓ４０とで構成されてもよい。
本発明の第一の実施形態にかかる駐車方法は、準備工程と出庫工程Ｓ１０と入庫工程Ｓ２０と記録工程Ｓ５０と自転車搭載機器引き出し工程Ｓ３０と自転車搭載機器引き入れ工程Ｓ４０とで構成されてもよい。
【００９２】
準備工程は、複数の自転車を複数の駐車空間に各々に置いて駐車させる複数の駐車装置１００を準備する工程である。
準備工程は、複数の車両または複数の自転車を複数の駐車空間に各々に置いて駐車させる複数の駐車装置１００を準備する工程であってもよい。
駐車装置１００の詳細は、本発明の第一の実施形態にかかる駐車装置１００の説明において、説明する。
【００９３】
出庫工程Ｓ１０は、複数の駐車装置１００のうちの一つの駐車装置１００に駐車する車両５または自転車６を出庫させる工程である。
入庫作業Ｓ２０は、車両５または自転車６を複数の駐車装置１００のうちの一つの駐車装置１００に入庫させる工程である。
【００９４】
出庫工程Ｓ１０は、複数の駐車装置１００のうちの一つの駐車装置１００に駐車する自転車６を出庫させる工程である。
入庫作業Ｓ２０は、出庫工程Ｓ１０で出庫させた自転車６を複数の駐車装置１００のうちの一つの駐車装置１００に入庫させる工程であってもよい。
【００９５】
出庫工程Ｓ１０は、複数の駐車装置１００のうちの一つの駐車装置１００に駐車する自転車６を出庫させる工程である。
入庫作業Ｓ２０は、出庫工程Ｓ１０で出庫させた自転車６を複数の駐車装置１００のうちの他の駐車装置１００に入庫させる工程であってもよい。
【００９６】
出庫工程Ｓ１０は、複数の駐車装置１００のうちの一つの駐車装置１００に駐車する複数の自転車６を一体として出庫させる工程てあってもよい。
入庫作業Ｓ２０は、出庫工程Ｓ１０で一体として出庫させた複数の自転車６を複数の駐車装置１００のうちの他の駐車装置１００に一体として入庫させる工程であってもよい。
【００９７】
記録工程Ｓ５０は、自転車６とその自転車６を入庫させた駐車装置１００とを関連づけてデータベースに記録する工程である。
記録工程Ｓ５０は、自転車６とその自転車６を出庫させた駐車装置１００とその自転車６を入庫させた駐車装置１００とを関連づけてデータベースに記録する工程であってもよい。
自転車毎に出庫工程Ｓ１０と入庫工程Ｓ２０とを繰り返す度に記録工程Ｓ５０を実行しデータベースを更新する。
例えば、データベースＤＢは、複数の駐車装置１００の各々ごとに、駐車する自転車の数を管理する。
例えば、データベースＤＢは、複数の駐車装置１００の各々ごとに、出庫し未だ入庫しない自転車の数を管理する。
【００９８】
自転車搭載機器引き出し工程Ｓ３０は、複数の駐車装置１００のうちの一つの駐車装置１００の搬送機器４０から自動車搭載機器６０を引き出す工程である。
自転車搭載機器引き入れ工程Ｓ４０は、自転車搭載機器引き出し工程Ｓ３０で引き出した自転車搭載機器６０を複数の駐車装置１００のうちの他の駐車装置１００の搬送機器へ引き入れる工程であってもよい。
【００９９】
自転車搭載機器引き出し工程Ｓ３０は、複数の駐車装置１００のうちの一つの駐車装置１００の搬送機器から自転車を搭載した自転車搭載機器６０を引き出す工程であってもよい。
自転車搭載機器引き入れ工程Ｓ４０は、自転車搭載機器引き出し工程Ｓ３０で引き出した自転車を搭載した自転車搭載機器６０を複数の駐車装置１００のうちの他の駐車装置１００の搬送機器へ引き入れる工程であってもよい。
【０１００】
本発明の第一の実施形態にかかる駐車装置１００の作用を説明する。
説明の便宜のため、自転車を駐車させる場合を例に説明する。
（出庫工程Ｓ１０）
利用者が、複数の駐車装置１００のうちの一つの駐車装置１００の入出庫空間の前に立つ。
利用者が、一つの自転車６を搭載した自転車搭載機器６０を上に重ねたパレット２０を呼び出す。
利用者が、自転車搭載機器６０に搭載された自転車を出庫させ、出庫した自転車６に乗って出る。
【０１０１】
（利用工程）
利用者が自転車に乗って、希望の場所に移動する。
【０１０２】
（入庫工程Ｓ２０）
利用者が、自転車６に乗って、複数の駐車装置１００のうちの一つの駐車装置１００の入出庫空間の前に立つ。
利用者が、自転車搭載機器６０を上に重ねられたパレット２０を呼びだす。
利用者が、自転車６を自転車搭載機器６０に乗せる。
利用者が、入出庫空間から退出する。
中央制御装置が、入庫した自転車６と入庫した駐車装置１００とを関連づけてデータベースＤＢに記録する。
【０１０３】
（自転車搭載機器引き出し工程Ｓ３０）
操作員が、複数の駐車装置１００のうちの一つの駐車装置１００の入出庫空間の前に立つ。
操作員が、自転車６を搭載した状態の自転車搭載機器６０を、トラックの荷台に乗せる。を上に重ねられたパレット２０を入出庫空間に呼び出す。
操作員が、自転車搭載機器６０とパレット２０との係合を外す。
操作員が、自転車６を搭載した自転車搭載機器６０を搬送機器から引き出す。
【０１０４】
操作員が、引き出した自転車を搭載させた状態の自転車搭載機器６０を、トラックの荷台に乗せる。
操作員が、トラックを運転して、他の駐車装置１００へ行く。
操作員が、自転車を搭載した状態の自転車搭載機器６０を、トラックの荷台から降ろす。
【０１０５】
（自転車搭載機器引き入れ工程Ｓ４０）
操作員が、自転車６を搭載した状態の自転車搭載機器６０を他の駐車装置１００の搬送機器に引き入れる。
操作員が、自転車搭載機器６０とパレット２０とを係合させる。
その結果、駐車する自転車６の数が所定数を越えた駐車装置１００に駐車する自転車の数６を減らし、駐車する自転車６の数が所定数を下回る駐車装置１００に駐車する自転車６の数を増やすことができる。
【０１０６】
また、本発明の実施形態に係る駐車装置１００は、その構成により、以下の効果を有する。
複数の車両５を各々に搭載する複数のパレット２０が搬送機器４０により駐車空間７１と入出庫空間７２との間を搬送され、自転車６を搭載できる自転車搭載構造体６０がパレット２０の上に重ねられ、搬送機器４０に支持されるパレット２０の上に重ねられた自転車搭載機器６０をパレット２０から離すことができ、パレット２０から離れている自転車搭載機器６０を搬送機器４０に支持されるパレット２０の上に重ねることができる様にしたので、自転車６を複数の車両５を駐車させる駐車装置１００に駐車させることができる。
また、搬送機器４０に支持されるパレット２０の上に重ねられる自転車搭載機器６０を搬送機器４０から引き出してパレット２０から離すことができ、パレット２０から離れている自転車搭載機器６０を搬送機器４０に引き入れて搬送機器４０に支持されるパレット２０の上に重ねることができる様にしたので、複数の自転車６を自転車搭載機器６０に搭載して移動できる。
また、搬送機器４０に支持されるパレット２０の上に重ねられ自転車５を搭載した状態の自転車搭載機器６０を搬送機器４０から引き出してパレット２０から離すことができ、パレット２０から離れており自転車６を搭載した状態の自転車搭載機器６０を搬送機器４０に引き入れて搬送機器４０に支持されるパレット２０の上に重ねることができる様にしたので、複数の自転車６を自転車搭載機器６０に搭載して移動できる。
また、パレット２０の上に重ねられる自転車搭載構造体６０に固定される自転車支持部材６２が自転車６を支持する様にしたので、自転車６が自転車搭載機器６０に支持される。
また、自転車搭載構造体６１は、パレット２０の上に重なりパレット２０に支持される様にしたので、自転車６が自転車搭載機器６０を介してパレット２０に支持される。
また、自転車搭載構造体６１の下部にパレット２０の上面を転動する自転車搭載車輪６３を設ける様にしたので、自転車搭載機器６０はパレット２０の上面を安定して移動できる。
また、自転車搭載構造体６１が自転車搭載機器６０の輪郭の短辺に沿った方向に分離する２つの構造体を持ち、２つの構造体の短辺に沿った方向の相対距離を変化させて、短辺に沿った方向の巾寸法を調整可能な様にしたので、自転車搭載機器６０の巾寸法をパレット２０の巾寸法に対応して合わせることができる。
従って、車両を駐車させる駐車装置を自転車を駐車させる駐車装置に用いることができる。
【０１０７】
一つの駐車装置１００に駐車する自転車６を出庫させ、出庫させた自転車６を他の駐車装置１００に入庫させる様にしたので、自転車６を複数の駐車装置１００のうちの任意の駐車装置１００に駐車できる。
一つの駐車装置１００に駐車する複数の自転車６を一体として出庫させ、一体として出庫させた複数の自転車６を他の駐車装置１００に入庫させる様にしたので、複数の自転車６を複数の駐車装置１００のうちの任意の駐車装置１００に駐車できる。
自転車毎に出庫工程Ｓ１０と入庫工程Ｓ２０とを繰り返す度に自転車６と入庫させた駐車装置１００とを関連づけて記録したデータベースＤＢを更新する様にしたので、複数の駐車装置１００に別々に入庫している自転車６を管理できる。
複数のパレット２０とパレット２０を搬送する搬送機器とを各々に持つ複数の駐車装置１００を準備し、一つの駐車装置１００の搬送機器から自転車搭載機器６０を引き出し、引き出した自転車搭載機器６０を他の駐車装置１００の搬送機器へ引き入れる様にしたので、複数の駐車装置１００の間で自転車搭載機器６０を移動できる。
一つの駐車装置１００の搬送機器から自転車６を搭載した自転車搭載機器６０を引き出し、引き出した自転車７を搭載した自転車搭載機器６０を他の駐車装置１００の搬送機器へ引き入れる様にしたので、複数の駐車装置１００の間で自転車６を搭載した自転車搭載機器６０を移動できる。
自転車毎に出庫と入庫とを繰り返す度に自転車６と入庫させた駐車装置１００とを関連づけて記録したデータベースＤＢを更新する様にしたので、複数の駐車装置１００に別々に入庫している自転車を管理できる。
複数の駐車装置１００が複数のパレット２０とパレット２０を搬送する搬送機器と自転車搭載機器６０とを各々に持ち、一つの駐車装置１００の搬送機器４０から自転車搭載機器６０を引き出し、引き出した自転車搭載機器６０を他の駐車装置１００の搬送機器４０へ引き入れる様にしたので、複数の駐車装置１００の間で自転車搭載機器６０を移動できる。
一つの駐車装置１００の搬送機器から自転車６を搭載した自転車搭載機器６０を引き出し、引き出した自転車６を搭載した自転車搭載機器６０を他の駐車装置１００の搬送機器へ引き入れる様にしたので、複数の駐車装置１００の間で自転車６を搭載した自転車搭載機器６０を移動できる。
一つの駐車装置１００の搬送機器から複数の自転車６を搭載した自転車搭載機器６０を引き出し、引き出した複数の自転車６を搭載した自転車搭載機器６０を他の駐車装置１００の搬送機器へ引き入れる様にしたので、複数の駐車装置１００の間で自転車６を搭載したパレット２０を移動できる。
駐車装置１００が複数のパレット２０とパレット２０を搬送する搬送機器と自転車搭載機器６０とを持ち、搬送機器４０から自転車搭載機器６０を引き出し、引き出した自転車搭載機器６０を搬送機器４０へ引き入れる様にしたので、複数の駐車装置１００の間で自転車搭載機器６０を移動できる。
搬送機器４０から自転車６を搭載した自転車搭載機器６０を引き出し、引き出した自転車６を搭載した自転車搭載機器６０を搬送機器へ引き入れる様にしたので、複数の駐車装置１００の間で自転車６を搭載した自転車搭載機器６０を移動できる。
搬送機器４０から複数の自転車６を搭載した自転車搭載機器６０を引き出し、引き出した複数の自転車６を搭載した自転車搭載機器６０を搬送機器４０へ引き入れる様にしたので、複数の駐車装置１００の間で自転車６を搭載したパレット２０を移動できる。
さらに、駐車させる複数の自転車６の全部、また少なくとも一部をレンタルするのに適した駐車装置１００を提供できる。
【０１０８】
本発明は以上に述べた実施形態に限られるものではなく、発明の要旨を逸脱しない範囲で各種の変更が可能である。
説明では、自転車を駐車装置に駐車させる場合を例に説明したが、これに限定されない。
車両を駐車装置に駐車させてもよい。
自転車を複数の駐車装置に駐車させる場合を例に説明したが、これに限定されない。
例えば、自転車を一つの駐車装置に駐車させるために、一つの駐車装置に自転車搭載機器を用いてもよい。この様にすると、車両を駐車させる駐車装置に簡易に自転車を駐車させることができる。
【符号の説明】
【０１０９】
Ｈ  上下移動空間
５  車両
６  自転車
７  電池
１００  駐車装置
１０  主構造体
１１  柱材
１２  梁材
１３  斜材
１４  駐車棚レール
２０  パレット
２１  パレット主構造体
２２  車輪
３０  充電機器
４０  搬送機器
４１  ケージ
４２  巻上げ機器
５０  電源機器
５１  電源盤
５２  第一電源ケーブル
５３  第二電源ケーブル
６０  自転車搭載機器
６１  自転車搭載構造体
６２  自転車支持部材
６３  自転車搭載車輪
６４  自転車搭載ガイド
６５  支持脚構造
７１  駐車空間
７２  入出庫空間
８０  中央制御装置
１００  駐車装置
Ｓ１０  出庫工程
Ｓ２０  入庫工程
Ｓ３０  自転車搭載機器引き出し工程
Ｓ４０  自転車搭載機器引き入れ工程
Ｓ５０  記録工程
ＤＢ  データベース
【先行技術文献】
【特許文献】
【０１１０】
【特許文献１】特開２０１２−２４１３５９号
【図１】
2017089121.tif 000003
【図２】
2017089121.tif 000004
【図３】
2017089121.tif 000005
【図４】
2017089121.tif 000006
【図５】
2017089121.tif 000007
【図６】
2017089121.tif 000008
【図７】
2017089121.tif 000009
【図８】
2017089121.tif 000010
【図９】
2017089121.tif 000011
【図１０】
2017089121.tif 000012
【図１１】
2017089121.tif 000013
【図１２】
2017089121.tif 000014
【図１３】
2017089121.tif 000015